(57)【要約】      （修正有）【課題】巻尺をベルトクリップより取り外す際に、ベルトクリップにおける保持部のガイドにスライド挿入されて同ガイド内に保持されている巻尺に設けるロック用プレートを、同ガイドからスムースに引き出すことができるようにする巻尺用ベルトクリップを提供する。【解決手段】クリップ本体１における保持部３に設けたアーム体６を回動させることにより、ガイド５、５内のロック用プレート２の固定を解除して、さらにロック用プレート２を同ガイド５、５の入り口方向に押し上げるようにする。【選択図】図１
0003163381.tif 000002
【実用新案登録請求の範囲】
【請求項１】
本体の前面に、巻尺に設ける係合部材と係合して同係合部材とともに巻尺を本体上に保持する保持部を備え、かつ本体の背面に、使用者のベルトに係着するための係着手段を備える巻尺用ベルトクリップであって、前記係合部材と係合する所定の係合手段よる係合を解除する操作を行うと、同操作の開始もしくは途中で、係合部材に接触して保持部の入り口方向への動きを与えるように構成してなる巻尺用ベルトクリップ。
【請求項２】
前記保持部は、巻尺に設けた係合部材を上方に有する入り口より下方にスライド挿入できるように構成してなる請求項１に記載の巻尺用ベルトクリップ。
【請求項３】
前記保持部のスライド挿入路は、挿入路両側に係合部材の辺部と遊嵌するガイドを設けていて、少なくとも同ガイドにより係合部材を案内するように構成してなる請求項２に記載の巻尺用ベルトクリップ。
【請求項４】
前記係合手段は、係合部材に係合させる係止爪と、係合を解除する操作を行った際に前記係合部材に接触する始動片を備えるアーム体であって、所定の部位に支持する同アーム体をスライド挿入路の路面にほぼ平行に回動させることによって同挿入路内の係合部材に係合している係止爪の係合を解除でき、さらにアーム体を回動させることによって始動片が係合部材に同挿入路の入り口方向への動きを与えるように構成してなる請求項１に記載の巻尺用ベルトクリップ。
【請求項５】
前記アーム体の係止爪を、スライド挿入路におけるスライド挿入方向に沿う一辺に配設し、始動片を、同挿入路におけるスライド挿入方向の先端に配設してなる請求項４に記載の巻尺用ベルトクリップ。
【請求項６】
前記係止爪は、保持部に係合部材が挿入されていない状態では、保持部のスライド挿入路上に突出していて、同挿入路に進入した係合部材によって強制的に退けられて同係合部材の進入を許し、かつ進入する同係合部材の係合部が到達すると、同係合部に自動進出して少なくとも係合部材の退出を阻止できるように構成してなる請求項４に記載の巻尺用ベルトクリップ。
【請求項７】
前記係着手段は、保持部を設けたクリップ本体の背面上部から後方に垂下し、同クリップ本体の背面との間にベルトを入れることのできる空間を形成するクリップ片からなっていて、これらクリップ本体とクリップ片のうち少なくともいずれか一方は弾性を有しているとともに下部間が外力によって離間可能であり、かつ弾性復元力によって初期位置に復帰できるように構成してなる請求項１に記載の巻尺用ベルトクリップ。
【考案の詳細な説明】
【技術分野】
【０００１】
本考案は、巻尺を携帯するため作業者の腰ベルトに係着して用いる巻尺用ベルトクリップに関する。
【背景技術】
【０００２】
従来、作業者の腰ベルトに係着したクリップ本体に、巻尺に装着した係合部材たるロック用プレートを同クリップ本体に備える係合手段たるストッパで係止して、巻尺をクリップ本体に脱落不能に保持できるように構成した巻尺用のベルトクリップがある（例えば、特許文献１参照）。
【０００３】
この種のベルトクリップは、巻尺に装着したロック用プレートをベルトクリップ本体の保持部にスライド挿入するとともに、同本体に備えるストッパを同ロック用プレートに係合させて、巻尺をベルトクリップ上に安全に保持できるようにしている。
【０００４】
そして、巻尺に装着するロック用プレートは矩形に形成されることが多く、この形状にすることによって、ベルトクリップ本体に備えるストッパがロック用プレートに容易に係合できるように、また、ベルトクリップ上に保持する巻尺の保持状態が安定するようにしている。
【０００５】
しかしながら、巻尺をベルトクリップから取り外す際、巻尺に装着したロック用プレートをベルトクリップ本体の保持部より引き出す動作は同巻尺を携帯する人によって行われるのでこの引き出し動作が人それぞれで異なり、無意識にあるいは自身の癖によって、引き出し動作を始める時にロック用プレートのコーナ部等を保持部の壁面やスライドガイド面に強く押し当ててしまうことがあった。
【０００６】
このように使用されるベルトクリップは、ロック用プレートのコーナ部を面取りしているにも係わらず頻繁な使用や長期間の使用により、ロック用プレートのコーナ部が保持部の壁面やスライドガイド面の同じ場所に押し当てられて同保持部の壁面やスライドガイド面が損傷していって例えば凹所などが形成され、巻尺をベルトクリップから取り外す際、前記凹所にロック用プレートのコーナ部が嵌り込んで同ロック用プレートすなわちロック用プレートを装着する巻尺を保持部よりスムースに引き出せなくなってしまう問題があった。
【先行技術文献】
【特許文献】
【０００７】
【特許文献１】特開２００４−６６３７７号公報（第１〜５頁、図１〜９）
【考案の概要】
【考案が解決しようとする課題】
【０００８】
本考案の目的とするところは、巻尺をベルトクリップより取り外す際、同巻尺に装着しているロック用プレートを、長期に亘りスムースにベルトクリップ本体の保持部から引き出すことができる巻尺用ベルトクリップを提供できるようにすることにある。
【課題を解決するための手段】
【０００９】
上述した課題を解決するために、本体の前面に、巻尺に設ける係合部材と係合して同係合部材とともに巻尺を本体上に保持する保持部を備え、かつ本体の背面に、使用者のベルトに係着するための係着手段を備える巻尺用ベルトクリップであって、前記係合部材と係合する所定の係合手段よる係合を解除する操作を行うと、同操作の開始もしくは途中で、前記係合部材に接触して保持部の入り口方向への動きを与えるように構成したものとしてある。
【００１０】
また、前記保持部は、巻尺に設けた係合部材を上方に有する入り口より下方にスライド挿入できるように構成したものとしてある。
【００１１】
また、前記保持部のスライド挿入路は、挿入路両側に係合部材の辺部と遊嵌するガイドを設けていて、少なくとも同ガイドにより係合部材を案内するように構成したものとしてある。
【００１２】
また、前記係合手段は、係合部材に係合させる係止爪と、係合を解除する操作を行った際に前記係合部材に接触する始動片を備えるアーム体であって、所定の部位に支持する同アーム体をスライド挿入路の路面にほぼ平行に回動させることによって同挿入路内の係合部材に係合している係止爪の係合を解除でき、さらにアーム体を回動させることによって始動片が係合部材に同挿入路の入り口方向への動きを与えるように構成したものとしてある。
【００１３】
また、前記アーム体の係止爪を、スライド挿入路におけるスライド挿入方向に沿う一辺に配設し、始動片を、同挿入路におけるスライド挿入方向の先端に配設したものとしてある。
【００１４】
また、前記係止爪は、保持部に係合部材が挿入されていない状態では、保持部のスライド挿入路上に突出していて、同挿入路に進入した係合部材によって強制的に退けられて同係合部材の進入を許し、かつ進入する同係合部材の係合部が到達すると、同係合部に自動進出して少なくとも係合部材の退出を阻止できるように構成したものとしてある。
【００１５】
また、前記係着手段は、保持部を設けたクリップ本体の背面上部から後方に垂下し、同クリップ本体の背面との間にベルトを入れることのできる空間を形成するクリップ片からなっていて、これらクリップ本体とクリップ片のうち少なくともいずれか一方は弾性を有しているとともに下部間が外力によって離間可能であり、かつ弾性復元力によって初期位置に復帰できるように構成したものとしてある。
【考案の効果】
【００１６】
本考案の巻尺用ベルトクリップによれば、クリップ本体との係合を解除してスライド挿入路内に保持している巻尺に設けた係合部材（ロック用プレート）を機械的に挿入路の入り口方向へ少しだけ押し上げるようにしているので、同係合部材の始動姿勢を大幅に安定させることができて係合部材がぶれることなくスムースに動かすことができる。
【００１７】
そして、動く力が与えられた係合部材をスライド挿入路の入り口方向に移動させる巻尺携帯者自身によって引き続き行われる係合部材の取り出し動作も安定し、同係合部材をスライド挿入路内からスムースに引き出すことができる。
【００１８】
したがって、クリップ本体との係合が解除されてスライド挿入路内に保持している巻尺に設けた係合部材を同挿入路内の入り口方向へ動かす際に巻尺携帯者が介在しないので、携帯者の癖などによる係合部材との接触や押し当てられることによって生じるスライド挿入路や同ガイド部の凹所などの損傷を低減できて、本巻尺用ベルトクリップを長期に亘り安定して使用することができる。
【図面の簡単な説明】
【００１９】
【図１】本考案に係る巻尺用ベルトクリップを示す斜視図。
【図２】ロック用プレートをクリップ本体に固定保持した状態を示す斜視図。
【図３】固定を解除したロック用プレートの動きを示す図。
【図４】巻尺を保持するベルトクリップをアーム体側より見ている図。
【図５】ロック用プレートを取り付けた巻尺を示す斜視図。
【図６】ベルトに係着したベルトクリップを示す斜視図。
【考案を実施するための最良の形態】
【００２０】
本考案に係る巻尺用ベルトクリップは、図１に示すように、クリップ本体１の前面に、図示を省略した巻尺側に固定される係合部材たるロック用プレート２をクリップ本体１上に固定保持するための保持部３を配し、クリップ本体１の背面に、ベルトに係着するための係着手段たるクリップ片４を配している。
【００２１】
保持部３は、前記ロック用プレート２を固定保持する部位であって、同図上における左右には上下に延びるガイド５、５を設けていて、同ガイド５、５は、ロック用プレート２の対辺部たる辺部２ａ、２ａをスライド可能にガイドするように、同ロック用プレート２に形状等を対応させている。
【００２２】
そして、ガイド５、５における少なくともロック用プレート２の辺部２ａ、２ａをガイドできる同ガイド５、５間が、保持部３におけるロック用プレート２のスライド挿入路となる。
【００２３】
また、実施例に示すガイド５、５は、これら下方を接続した略Ｕ字状に形成して、保持部３に設けた後述するアーム体６のカバー５ｂを兼用させている。
【００２４】
そして、アーム体６には係止爪７と始動片８を設けていて、係止爪７は、一側のガイド５の途中を切断するなどして設けた空間より保持部３上に突出させ、始動片８は、同天部を保持部３方向に向けて同図上における保持部３の下方に配している。
【００２５】
また、アーム体６には同アーム体６を操作するためのつまみ部である操作部６ａを設けていて、この操作部６ａはカバー５ｂの上方に露出し、そしてアーム体６は、保持部３面にほぼ平行をなす面で回動できるように軸９によって支持されていて、さらに、初期位置に復帰させるための例えばねじりコイルばね等の初期位置復帰手段を設けている（図示は省略）。
【００２６】
クリップ片４は、クリップ本体１の背面上部から後方に垂下し、同クリップ本体１の背面との間にベルトを入れることのできる空間たるベルト挿通部１０を形成できるようにしている。
【００２７】
また、クリップ片４は、素材の性質やクリップ本体１との接合部構造により弾性を有していて、下部間が外力によって離間でき、かつ弾性復元力によって初期位置に復帰できるようにしている。
【００２８】
以下、上述のように構成した本考案に係る巻尺用ベルトクリップの作用について説明する。
また、本ベルトクリップは、図６に示すように、ベルト挿通部１０に作業者が装着しているベルト１３を通して同ベルト１３に係着して使用している。
【００２９】
通常、ロック用プレート２は図５に示すように巻尺１２に装着しているが、図を見やすくするため、ロック用プレート２は巻尺に装着していない状態で、同ベルトクリップの作用を説明する。
【００３０】
先ず、巻尺をベルトクリップに固定保持する場合は、図１に示すように、ロック用プレート２の辺部２ａ、２ａを、クリップ本体１の保持部３に備えるガイド５、５の溝部５ａ、５ａにおける上方に嵌め、下方にスライド挿入する。
【００３１】
そうすると、ロック用プレート２はガイド５、５に案内されて下方に移動する途中でガイド５内に突出するアーム体６の係止爪７と接触し、係止爪７を強制的にガイド５外に退けて、さらにガイド５、５に案内されて下方に移動する。
【００３２】
そして、ロック用プレート２がガイド５、５に案内されて下方に移動して同ガイド５、５のほぼ下端に達すると、図２に示すように、ガイド５外に退いていたアーム体６の係止爪７がロック用プレート２の辺部２ｂ上方に自動進出する。
【００３３】
これにより、ロック用プレート２はガイド５、５間からの退出が阻止されて、ガイド５、５内すなわち保持部３内に固定保持される。
【００３４】
そして、ベルトクリップに固定保持している巻尺を取り外す場合は、図３（ａ）に示すように、アーム体６における操作部６ａを同図中の矢印方向に操作すると、アーム本体６が軸９を支点にして保持部３面にほぼ平行にカバー５ｂ内で回動し、ロック用プレート２の辺部２ｂ上に突出しているアーム体６の係止爪７が同辺部２ｂ上より退き、ロック用プレート２の固定が解除される。
【００３５】
さらに、操作部６ａを操作してアーム体６を回動させて行くと、ロック用プレート２の下方に位置しているアーム体６の始動片８がロック用プレート２と接触して同ロック用プレート２が保持部３の入り口すなわちガイド５、５の入り口方向（図３（ｂ）の矢印方向）に押し上げられる。
【００３６】
したがって、アーム体６の回動により固定を解除したロック用プレート２を、同アーム体６によって機械的にガイド５、５の入り口方向に押し上げるので、同ロック用プレート２の始動時の姿勢がぶれることなくスムースに動かせることができる。
【００３７】
また、実施例に示すガイド５、５は、この上方寄りを広げてロック用プレート２の挿脱をし易くできるようにしている。
【００３８】
また、保持部３乃至ガイド５、５の溝部５ａ、５ａは、必要に応じて、減摩擦用薬剤の塗布や部材の形状等により摩擦低減処理を行って、挿入するロック用プレート２との摺動摩擦をなるべく低減できるようにする場合がある。
【００３９】
また、本ベルトクリップのベルトへの係着方法も、実施例に示しているクリップ片４以外の方法で係着してもよい。
【００４０】
実施例における図中の符号２ｃは、巻尺ケースとガイド５、５との接触を防止するために設けているスペーサ、符号１１は、巻尺ケースと接続する落下防止用の紐体に有するフックを係着するための通孔である。
【符号の説明】
【００４１】
１  クリップ本体
２  ロック用プレート
２ａ  辺部
２ｂ  辺部
２ｃ  スペーサ
３  保持部
４  クリップ片
５  ガイド
５ａ  溝部
５ｂ  カバー
６  アーム体
６ａ  操作部
７  係止爪
８  始動片
９  軸
１０  ベルト挿通部
１１  通孔
１２  巻尺
１３  ベルト
【図１】
0003163381.tif 000003
【図２】
0003163381.tif 000004
【図３】
0003163381.tif 000005
【図４】
0003163381.tif 000006
【図５】
0003163381.tif 000007
【図６】
0003163381.tif 000008